(57)【要約】【課題】簡単な構造により、使用者によって簡単に鼻パッドの位置を調整することができ、良好な状態で本体装置を使用することを可能とする。【解決手段】頭部装着型装置用フレーム４は、使用者の頭部に装着されることで、表示ユニット３を使用者の頭部に対して支持する眼鏡型のフレーム本体１０と、使用者の鼻に接触する鼻パッド３１、および鼻パッド３１をフレーム本体１０に支持する脚部３２を有する鼻当て部３０と、弾性を有する板状の部分としてフレーム本体１０に設けられ、脚部３２が固定されるとともに、弾性変形することで前後方向に傾動する傾動部４１Ｙと、フレーム本体１０に対して前後方向にねじ込まれ、フレーム本体１０に対して相対的に回転することによりフレーム本体１０に対して前後方向に変位することで、傾動部４１Ｙのフレーム本体１０に対する前後方向の傾動量を変化させる調整ネジ４３と、を備える。【選択図】図６
2013211811.tif 000002
【特許請求の範囲】
【請求項１】
使用者の頭部に装着されることで、頭部装着型装置の本体装置を使用者の頭部に対して支持する眼鏡型のフレーム本体と、
使用者の鼻に接触する鼻パッド、および前記鼻パッドを前記フレーム本体に支持するパッド支持部を有する鼻当て部と、
弾性を有する板状の部分として前記フレーム本体に設けられ、前記パッド支持部が固定されるとともに、弾性変形することで前後方向に傾動する鼻当て固定部と、
前記フレーム本体に対して前後方向にねじ込まれ、前記フレーム本体に対して相対的に回転することにより前記フレーム本体に対して前後方向に変位することで、前記鼻当て固定部の前記フレーム本体に対する前後方向の傾動量を変化させる位置調整部と、を備える、
頭部装着型装置用フレーム。
【請求項２】
前記位置調整部は、
前記フレーム本体の前側に設けられ、前記フレーム本体に対して相対的に回転するための操作を受ける操作部を有する、
請求項１に記載の頭部装着型装置用フレーム。
【請求項３】
前記フレーム本体に対して相対的に上下方向に変位するように設けられ、前記位置調整部を貫通させるとともに、前記鼻当て固定部と一体的に上下方向に変位する移動体と、
前記移動体を前記フレーム本体に対して上下方向のいずれか一方向に付勢する付勢部と、
前記フレーム本体に対して上下方向にねじ込まれ、前記移動体に対して上下方向のうち前記一方向の側から当接した状態で前記フレーム本体に対して相対的に回転することにより前記フレーム本体に対して上下方向に変位することで、前記移動体の前記フレーム本体に対する上下方向の位置を変化させる上下位置調整部と、をさらに備える、
請求項１または請求項２に記載の頭部装着型装置用フレーム。
【請求項４】
前記鼻当て固定部は、前記フレーム本体に固定される弾性を有する板状の部材により構成され、
前記板状の部材は、前記フレーム本体への固定部分である固定基部と、前記パッド支持部が固定される部分を含む部分であり前記鼻当て固定部として機能する傾動部と、前記固定基部と前記傾動部との間に設けられ他の部分に対して相対的に板厚が薄い部分であり前記傾動部の前記固定基部に対する傾動の起点となる傾動起点部と、を有する、
請求項１〜３のいずれか１項に記載の頭部装着型装置用フレーム。
【請求項５】
左右一対の前記パッド支持部ごとに、前記鼻当て固定部の前記傾動量が独立して変化するように構成されている、
請求項１〜４のいずれか１項に記載の頭部装着型装置用フレーム。
【請求項６】
前記鼻パッドは、前記パッド支持部に対して、前記フレーム本体が使用者の頭部に装着されることで接触する接触面の向きに対応して前記パッド支持部に対する向きが変わるように設けられている、
請求項１〜５のいずれか１項に記載の頭部装着型装置用フレーム。
【請求項７】
前記鼻当て固定部と前記パッド支持部とは、溶接により互いに固定されている、
請求項１〜６のいずれか１項に記載の頭部装着型装置用フレーム。
【発明の詳細な説明】
【技術分野】
【０００１】
本発明は、例えばヘッドマウントディスプレイやヘッドマウントカメラ等の頭部装着型装置において本体装置を使用者の頭部に対して支持するために用いられる頭部装着型装置用フレームに関する。
【背景技術】
【０００２】
従来、例えばヘッドマウントディスプレイ等のように、使用者の頭部に装着された状態で用いられる頭部装着型装置が存在する。これらの頭部装着型装置は、ディスプレイ装置等の本体装置と、この本体装置を使用者の頭部に対して所定の場所に位置するように支持するためのフレームとを備える場合がある。こうした頭部装着型装置用フレームとしては、装着性や位置決め精度等の観点から、眼鏡型のフレームが好適に用いられている。
【０００３】
眼鏡型のフレームの構成例として、使用者の頭部を左右両側から挟む一対のテンプル部と、これら一対のテンプル部の一端側が連結されて使用者の顔の前に位置するフロント部と、使用者の鼻に接触する鼻当て部とを有する構成がある。そして、かかる構成が有する鼻当て部としては、フレームの本体側から延びる脚部の先端に設けられた鼻パッドを有する構成のものがある。
【０００４】
このような眼鏡型のフレームにおいて、特に、ディスプレイ装置を備えた眼鏡型のフレームでは、鼻パッドが使用者の鼻にフィットしない場合、長時間の使用等によって鼻が痛くなる等の不快感が生じたりフレームがずれたりすることがあり、使用上の問題が生じる可能性がある。そこで、従来、視力の矯正等に用いられる通常の眼鏡のフレーム等においては、鼻パッドの位置を調整することが行われている。
【０００５】
眼鏡型のフレームが有する鼻パッドの位置の調整としては、フレームの本体側から延びて鼻パッドが設けられる脚部を曲げることによる調整が行われている。しかしながら、鼻パッドの位置の調整は、使用者が簡単に行えるものではなく、眼鏡店等で専門の人により行われるのが一般的である。
【０００６】
そこで、鼻パッドの位置の調整に関し、例えば、特許文献１に開示されている技術がある。特許文献１には、フレーム本体から伸びる丸軸からなるパッド支持軸の先端部に、パッド支持軸の挿入孔を有し鼻パッドが取り付けられるパッド支持体がねじ止めされる構成が開示されている。かかる構成において、パッド支持軸をニッパ等の切断工具で所定の長さに切断することで、鼻パッドの高さが調整され、止ねじを緩めてパッド支持軸を中心にパッド支持体を回転させることで、鼻パッドの向きが調整される。
【先行技術文献】
【特許文献】
【０００７】
【特許文献１】特開平７−２４４２６１号公報
【発明の概要】
【発明が解決しようとする課題】
【０００８】
頭部装着型装置用フレームにおいては、上述したようにディスプレイ装置等の本体装置が取り付けられることから、通常の眼鏡のフレームとは異なり本体装置の荷重がかかるため、上述のような鼻パッドが使用者の鼻にフィットしない場合の不快感やフレームのずれが生じやすい。このため、頭部装着型装置用フレームにおいては、通常の眼鏡のフレーム等と比べて、鼻パッドの位置の調整の必要性が高い。
【０００９】
また、頭部装着型装置用フレームは、頭部装着型装置が業務用等として使用されることもあり、通常の眼鏡のフレーム等と比べ、複数人で共用される機会が少なくない。この点、鼻や顔の形やサイズは各個人によって違うため、頭部装着型装置を共用する各使用者に対して鼻パッドの位置の調整が行われることが望ましく、この場合、高い頻度での鼻パッドの位置の調整が要求される。
【００１０】
これらのことから、頭部装着型装置用フレームにおける鼻パッドの位置の調整については、眼鏡店等で専門の人によらずに、使用者によって容易に調整できることが望まれる。そこで、特許文献１に記載の技術を用いることが考えられる。しかしながら、上述した特許文献１の技術によれば、鼻パッドの高さおよび高さ方向を回転軸とした向きを調整することができるものの、前後方向の調整などの自由度の高い調整はできず、また、調整行為の都度、パッド支持軸を切断するための工具や止ねじを緩めるための工具が必要となり、調整行為が繁雑となる。
【００１１】
一方で、頭部装着型装置用フレームにおいては、本体装置の荷重がかかることから、フレーム本体に対して鼻パッドを支持する部分に比較的硬い材料が使用される場合があるが、このような場合、鼻パッドを支持する部分（脚部）を曲げることによる鼻パッドの位置の調整が困難である。
【００１２】
以上のような事情に鑑み、本発明は、簡単な構造により、使用者によって簡単に鼻パッドの位置を調整することができ、良好な状態で本体装置を使用することができる頭部装着型装置用フレームを提供することを目的とする。
【課題を解決するための手段】
【００１３】
上記目的を達成するために、本発明に係る頭部装着型装置用フレームは、使用者の頭部に装着されることで、頭部装着型装置の本体装置を使用者の頭部に対して支持する眼鏡型のフレーム本体と、使用者の鼻に接触する鼻パッド、および前記鼻パッドを前記フレーム本体に支持するパッド支持部を有する鼻当て部と、弾性を有する板状の部分として前記フレーム本体に設けられ、前記パッド支持部が固定されるとともに、弾性変形することで前後方向に傾動する鼻当て固定部と、前記フレーム本体に対して前後方向にねじ込まれ、前記フレーム本体に対して相対的に回転することにより前記フレーム本体に対して前後方向に変位することで、前記鼻当て固定部の前記フレーム本体に対する前後方向の傾動量を変化させる位置調整部と、を備えている。
【００１４】
また、前記頭部装着型装置用フレームにおいて、前記位置調整部は、前記フレーム本体の前側に設けられ、前記フレーム本体に対して相対的に回転するための操作を受ける操作部を有していてもよい。
【００１５】
また、前記頭部装着型装置用フレームにおいて、前記フレーム本体に対して相対的に上下方向に変位するように設けられ、前記位置調整部を貫通させるとともに、前記鼻当て固定部と一体的に上下方向に変位する移動体と、前記移動体を前記フレーム本体に対して上下方向のいずれか一方向に付勢する付勢部と、前記フレーム本体に対して上下方向にねじ込まれ、前記移動体に対して上下方向のうち前記一方向の側から当接した状態で前記フレーム本体に対して相対的に回転することにより前記フレーム本体に対して上下方向に変位することで、前記移動体の前記フレーム本体に対する上下方向の位置を変化させる上下位置調整部と、をさらに備えていてもよい。
【００１６】
また、前記頭部装着型装置用フレームにおいて、前記鼻当て固定部は、前記フレーム本体に固定される弾性を有する板状の部材により構成され、前記板状の部材は、前記フレーム本体への固定部分である固定基部と、前記パッド支持部が固定される部分を含む部分であり前記鼻当て固定部として機能する傾動部と、前記固定基部と前記傾動部との間に設けられ他の部分に対して相対的に板厚が薄い部分であり前記傾動部の前記固定基部に対する傾動の起点となる傾動起点部と、を有していてもよい。
【００１７】
また、前記頭部装着型装置用フレームにおいて、左右一対の前記パッド支持部ごとに、前記鼻当て固定部の前記傾動量が独立して変化するように構成されていてもよい。
【００１８】
また、前記頭部装着型装置用フレームにおいて、前記鼻パッドは、前記パッド支持部に対して、前記フレーム本体が使用者の頭部に装着されることで接触する接触面の向きに対応して前記パッド支持部に対する向きが変わるように設けられていてもよい。
【００１９】
また、前記頭部装着型装置用フレームにおいて、前記鼻当て固定部と前記パッド支持部とは、溶接により互いに固定されていてもよい。
【発明の効果】
【００２０】
本発明によれば、簡単な構造により、使用者によって簡単に鼻パッドの位置を調整することができ、良好な状態で本体装置を使用することができる。
【図面の簡単な説明】
【００２１】
【図１】本発明の一実施形態に係るＨＭＤの全体的な構成を示した平面図。
【図２】本発明の一実施形態に係る頭部装着型装置用フレームを示す正面図。
【図３】本発明の一実施形態に係る頭部装着型装置用フレームを示す平面図。
【図４】本発明の一実施形態に係る頭部装着型装置用フレームを示す背面図。
【図５】本発明の一実施形態に係る頭部装着型装置用フレームを示す側面図。
【図６】本発明の一実施形態に係る鼻パッド調整機構を示す側面断面図。
【図７】本発明の一実施形態に係る鼻パッド調整機構を示す背面図。
【図８】本発明の一実施形態に係る鼻パッド調整機構の変形例を示す側面断面図。
【図９】本発明の一実施形態に係る鼻パッド調整機構の変形例を示す背面図。
【図１０】本発明の一実施形態に係る鼻当て部の構成を示す図。
【図１１】本発明の別実施形態に係る鼻パッド調整機構を示す側面断面図。
【図１２】本発明の別実施形態に係る鼻パッド調整機構を示す背面断面図。
【発明を実施するための形態】
【００２２】
本発明は、例えばヘッドマウントディスプレイやヘッドマウントカメラ等の頭部装着型装置が備える眼鏡型のフレームにおいて、鼻パッドを有する鼻当て部が設けられる部分の構造を工夫することで、簡単な操作によって鼻パッドの位置の調整を可能とするものである。
【００２３】
以下、本発明の実施の形態を説明する。以下に説明する本発明の実施の形態では、本発明に係る頭部装着型装置用フレームの適用例として、主にヘッドマウントディスプレイ（以下「ＨＭＤ」とする。）が備えるフレームを挙げて説明する。したがって、以下に説明する本発明の実施の形態では、頭部装着型装置用フレームは、ＨＭＤにおいて本体装置としてのディスプレイ装置を使用者の頭部に対して支持するために用いられる。
【００２４】
［ＨＭＤの構成］
本実施形態に係るＨＭＤの構成について、図１を用いて説明する。図１に示すように、本実施形態に係るＨＭＤ１は、ＨＭＤ１の使用者（以下単に「使用者」という。）の一方の眼に対して、映像信号に基づく映像を液晶ディスプレイ（ＬＣＤ：Ｌｉｑｕｉｄ  Ｃｒｙｓｔａｌ  Ｄｉｓｐｌａｙ）により表示することにより、使用者に映像を視認させる。
【００２５】
ＨＭＤ１は、コントロールユニット２と、本体装置であるディスプレイ装置としての表示ユニット３と、表示ユニット３を支持する頭部装着型装置用フレームとしてのフレーム４とを備える。
【００２６】
コントロールユニット２は、ＨＭＤ１の動作を制御する制御部と、表示ユニット３に電力を供給するための電源部とを有する。コントロールユニット２の制御部は、映像信号を、外部から受信するか、または内部で生成し、出力する。コントロールユニット２により出力された映像信号、および電源部からの電力は、ケーブル５によって表示ユニット３に送られる。
【００２７】
表示ユニット３は、表示ユニット３の動作を制御する表示制御部によって、コントロールユニット２から送られてきた映像信号と電力を受け、ＬＣＤを制御して、映像信号に応じた映像をＬＣＤから表示させる。
【００２８】
表示ユニット３は、使用者に映像を視認させるためのハーフミラー６を有する。ハーフミラー６は、表示ユニット３のハウジング３ａの一端側に設けられるミラーホルダ３ｂに回動可能に支持された状態で、使用者の左眼Ｙの前方に位置するように設けられる。表示ユニット３は、ハーフミラー６により、ＬＣＤによって表示した映像を使用者に視認させるとともに、外光の一部を透過させて使用者の眼に入射させる。
【００２９】
このように、本実施形態のＨＭＤ１は、外光を透過させるとともに、表示ユニット３により表示する映像を使用者に対して表示するシースルー型の映像表示装置である。ただし、ＨＭＤは、シースルー型である必要はない。また、本実施形態のＨＭＤ１は、ＬＣＤを用いて映像を表示する構成であるが、ＨＭＤとしては、例えば、映像信号に応じた強度のレーザ光を２次元方向に走査して、その走査したレーザ光を瞳孔から入射させて網膜上に投影することにより使用者に映像を視認させる、いわゆる網膜走査型の映像表示装置であってもよい。
【００３０】
フレーム４は、眼鏡型のフレームであり、表示ユニット３を支持するとともに、使用者の頭部に装着される装着部である。フレーム４は、使用者の頭部に装着された状態で、上述したような表示ユニット３による使用者への映像の表示ができるように、表示ユニット３を支持する。
【００３１】
本実施形態のＨＭＤ１では、表示ユニット３は、フレーム４に対して、フレーム４を頭部に装着した状態の使用者の左側に取り付けられる。したがって、本実施形態のＨＭＤ１は、使用者の左側の眼に対して映像を表示することにより、使用者に映像を視認させる。表示ユニット３は、図示せぬ取付け部により、フレーム４に固定されて取り付けられる。
【００３２】
以上のように、本実施形態においては、ＨＭＤ１において本体装置である表示ユニット３を支持するフレーム４が、頭部装着型装置用フレームに相当する。また、ＨＭＤ１は、例えば、ヘッドマウントカメラとしてのカメラユニット７を備えていてもよい。なお、以下の説明では、フレーム４についての上下・前後・左右方向を、フレーム４を装着した状態の使用者の上下・前後・左右方向に対応させる。
【００３３】
［フレームの構成］
フレーム４の構成について、図２、図３、図４、および図５を用いて説明する。フレーム４は、眼鏡型のフレーム本体１０と、フレーム本体１０に設けられる鼻当て部３０とを備える。
【００３４】
フレーム本体１０は、使用者の頭部に装着されることで、ＨＭＤ１の表示ユニット３を使用者の頭部に対して支持する。具体的には、フレーム本体１０は、使用者の顔の前に位置するフロント部１１と、フロント部１１の左右両端部から後方に延びるヨロイ部１２と、各ヨロイ部１２に回動可能に連結されるテンプル部１３とを有する。そして、本実施形態のフレーム本体１０においては、左側（図３において右側）のヨロイ部１２の近傍に、表示ユニット３が図示せぬ取付け部によって取り付けられて支持される。ただし、ＨＭＤ１は、フレーム本体１０の右横側に表示ユニット３を支持する右眼用の構成であったり、フレーム本体１０の左右両側に表示ユニット３を支持する両眼用の構成であったりしてもよい。
【００３５】
ヨロイ部１２は、フロント部１１の左右両端側においてテンプル部１３が延びる方向に沿って突出する部分である。各ヨロイ部１２の後端部に、テンプル部１３が回動可能に取り付けられる。一対のテンプル部１３は、使用者の顔を左右両側から挟む。テンプル部１３は、使用者の耳にかかるセル部１３ａを有する。
【００３６】
ヨロイ部１２とテンプル部１３とは、ヨロイ部１２の後端部に設けられるヒンジ部１４にて連結される。ヒンジ部１４は、ヨロイ部１２とテンプル部１３との端部同士がネジ１５によって留められることで構成される（図３参照）。テンプル部１３は、ヒンジ部１４において、フロント部１１及びヨロイ部１２を含む構成に対して折りたたむことができるように、上下方向を回動軸方向として回動可能に連結される。
【００３７】
また、フレーム４においては、フロント部１１の下側に、使用者の眼を保護するためのカバーシート１６が装着される。カバーシート１６は、使用者の左右の各眼に対応して設けられる２枚の透過性を有するシート部材１７と、これらのシート部材１７をフレーム４に対して保持する保持体１８とを有する。
【００３８】
保持体１８は、２枚のシート部材１７を保持する一対の保持部１８ａと、これら保持部１８ａを連結する連結部１８ｂとを有する。各保持部１８ａは、各シート部材１７の上側の略半分の部分の外縁を囲んだ状態で保持する。連結部１８ｂは、左右両側においてシート部材１７を保持する一対の保持部１８ａを、左右中央部において連結する部分である。
【００３９】
カバーシート１６は、保持体１８の部分がフレーム４のフロント部１１に装着されることで、フレーム４に取り付けられる。カバーシート１６は、フロント部１１に対する固定部分として、左右方向の両端側に設けられる左右固定部１９と、左右方向の中央部に設けられる中央固定部２０とを有する。これらの固定部は、カバーシート１６を構成する保持体１８の上側部分に突出形成される固定片部を、フロント部１１の下面部に対して固定させることで、カバーシート１６をフロント部１１の下側に固定させる。
【００４０】
左右固定部１９は、保持体１８の左右両端部、詳細には各保持部１８ａの左右方向の外側端部の上側部分に設けられる固定片部１９ａを有する。固定片部１９ａは、保持体１８の保持部１８ａと一体の部分である。この固定片部１９ａが、フロント部１１の左右両端部の下面部に固定される。また、中央固定部２０は、保持体１８の左右中央部、詳細には連結部１８ｂの上側部分に設けられる固定片部２１を有する。固定片部２１は、保持体１８の連結部１８ｂと一体の部分である。この固定片部２１が、フロント部１１の左右中央部の下面部に固定される。
【００４１】
以上のような構成を備えるフレーム本体１０には、鼻当て部３０が設けられる。鼻当て部３０は、使用者の鼻に接触する鼻パッド３１、および鼻パッド３１をフレーム本体１０に支持するパッド支持部としての脚部３２を有する。
【００４２】
本実施形態のフレーム４において、鼻当て部３０は、カバーシート１６を構成する保持体１８の連結部１８ｂの部分に設けられる。鼻当て部３０は、フレーム４の装着状態において使用者の鼻筋に対して左右両側から接触する一対の鼻パッド３１を有する。一対の鼻パッド３１は、それぞれ脚部３２によってフレーム本体１０における保持体１８に対して支持される。鼻パッド３１は、例えばシリコン樹脂等の樹脂により構成される。
【００４３】
脚部３２は、保持体１８の連結部１８ｂの部分から、略後斜め下側に向けて延設され所定の湾曲形状を有する線状（棒状）の部分である。一対の脚部３２は、図４に示すような背面視で、互いの間隔が下側にかけて広がる態様で設けられる。脚部３２の先端部に、鼻パッド３１が設けられる。
【００４４】
以上のような構成を有するフレーム４は、一対のテンプル部１３によって使用者の両耳にかかるとともに、２個の鼻パッド３１を有する鼻当て部３０によって使用者の鼻筋に支持されることで、使用者の頭部に装着された状態となる。そして、この眼鏡型のフレーム４にＨＭＤ１の表示ユニット３が支持されることで、表示ユニット３が、使用者の頭部の左前側に配置される。
【００４５】
以上のような構成を備える本実施形態のフレーム４は、フレーム本体１０に設けられる鼻当て部３０に関し、鼻パッド３１の位置を調整するための機構（以下「鼻パッド調整機構」という。）を備える。鼻パッド調整機構は、フレーム本体１０において、鼻当て部３０が設けられる保持体１８の部分（主に連結部１８ｂの部分）に構成される。以下に説明する鼻パッド調整機構においては、鼻当て部３０が設けられる保持体１８の部分を、フレーム本体１０の一部であることから「フレーム本体１０」と称する。
【００４６】
［鼻パッド調整機構の構成］
鼻パッド調整機構の構成について、図２から図１０を用いて説明する。なお、図６は、図４におけるＡ−Ａ位置の断面図に相当する。本実施形態の鼻パッド調整機構は、フレーム本体１０において、鼻パッド３１を支持する脚部３２のフレーム本体１０に対する固定位置を含む部分を、部分的に前後方向に変位させることで、鼻パッド３１の位置を調整する。
【００４７】
図６および図７に示すように、本実施形態の鼻パッド調整機構は、鼻パッド固定板４１と、金属プレート４２と、調整ネジ４３とを有する。また、図６に示すように、鼻パッド調整機構を構成するフレーム本体１０は、板面を前後に向ける板状の部分である。フレーム本体１０は、例えば樹脂等により構成される。
【００４８】
鼻パッド固定板４１について説明する。鼻パッド固定板４１は、フレーム本体１０に固定される弾性（バネ性）を有する板状の部材であり、鼻パッド調整機構が備える鼻当て固定部を構成する。本実施形態では、鼻パッド固定板４１は、図７に示すように略矩形板状の部材である。
【００４９】
鼻パッド固定板４１は、板状の部分であるフレーム本体１０に対して、後側に設けられる。鼻パッド固定板４１は、フレーム本体１０に対して、上下方向については上側寄りの位置、左右方向については中央位置に設けられる（図７参照）。鼻パッド固定板４１は、フレーム本体１０の後側の面である後面１０ａに形成された嵌合凹部１０ｂに嵌め込まれた状態で、フレーム本体１０に固定される。
【００５０】
嵌合凹部１０ｂは、鼻パッド固定板４１の外形に沿う形状、および鼻パッド固定板４１の板厚に対応する深さを有し、鼻パッド固定板４１を隙間なく嵌合させる。このため、鼻パッド固定板４１が嵌合凹部１０ｂに嵌合した状態においては、鼻パッド固定板４１の後側の面となる表面４１ａは、フレーム本体１０の後面１０ａと略同一平面を形成する（図６参照）。
【００５１】
なお、フレーム本体１０に対する鼻パッド固定板４１の固定構造については、本実施形態の場合に限定されず、鼻パッド固定板４１の周囲において鼻パッド固定板４１と嵌合凹部１０ｂとの間に隙間があってもよく、また、鼻パッド固定板４１の表面４１ａがフレーム本体１０の後面１０ａに対して奥側（前側）あるいは手前側（後側）に位置してもよい。また、鼻パッド固定板４１ついては、本実施形態のようにフレーム本体１０に形成された嵌合凹部１０ｂに嵌る構造ではなく、平面状の後面１０ａに対して固定される構造であってもよい。
【００５２】
鼻パッド固定板４１は、例えば、チタン、アルミニウム、ステンレス鋼等の金属材料により構成される。ただし、鼻パッド固定板４１を構成する材料は、所望の弾性や強度が得られる材料であればよく、例えば金属に限定されず樹脂等であってもよい。
【００５３】
鼻パッド固定板４１は、固定ネジ４４により、フレーム本体１０に固定される。固定ネジ４４は、嵌合凹部１０ｂに嵌った状態の鼻パッド固定板４１に対して、表面４１ａ側から鼻パッド固定板４１を貫通し、フレーム本体１０側にねじ込まれる。このため、鼻パッド固定板４１は、固定ネジ４４を貫通させる孔部４１ｂを有する。固定ネジ４４は、フレーム本体１０に対しては、後述するようにフレーム本体１０の一部を構成する金属プレート４２にねじ込まれる。
【００５４】
本実施形態では、固定ネジ４４による鼻パッド固定板４１の固定箇所は、鼻パッド固定板４１の上半部における左右中央位置の１箇所であり、この箇所に、固定ネジ４４を貫通させる孔部４１ｂが設けられる。このため、鼻パッド固定板４１において、固定ネジ４４による固定位置から離れた部分は、フレーム本体１０に対して固定されずに開放された部分となる。したがって、鼻パッド固定板４１は、弾性変形により、固定ネジ４４によるフレーム本体１０に対する固定位置の近傍を起点部分として、嵌合凹部１０ｂから抜ける側、つまり後側に、フレーム本体１０の後面１０ａから部分的に浮き上がるように変位することができる。
【００５５】
このように、鼻パッド固定板４１は、固定ネジ４４によってフレーム本体１０に固定された状態で、フレーム本体１０の後面１０ａから浮き上がるように変位可能な部分を有する。なお、鼻パッド固定板４１のフレーム本体１０に対する固定位置および固定箇所数については、本実施形態に限定されず、鼻パッド固定板４１においてフレーム本体１０の後面１０ａから浮き上がるように変位可能な部分が得られればよい。鼻パッド固定板４１のフレーム本体１０に対する固定位置は、本実施形態とは異なり鼻パッド固定板４１の下半部に位置してもよく、また、固定箇所は、２箇所以上あってもよい。
【００５６】
鼻パッド固定板４１には、鼻当て部３０において鼻パッド３１を支持する脚部３２が固定される。上記のとおり所定の湾曲形状を有する線状（棒状）の部分である脚部３２においては、鼻パッド３１が設けられる側と反対側の端部が、鼻パッド固定板４１に固定される。脚部３２は、上述したようにフレーム本体１０の後面１０ａと略同一平面を形成する鼻パッド固定板４１の表面４１ａに固定される。本実施形態では、脚部３２は、金属を材料として構成され、鼻パッド固定板４１に対して溶接により固定される。
【００５７】
本実施形態では、一対の脚部３２は、鼻パッド固定板４１の左右両端部の位置に固定される（図７参照）。詳細には、図７に示すように、一対の脚部３２の鼻パッド固定板４１に対する固定位置は、上下方向については、鼻パッド固定板４１の下半部に位置し、左右方向については、固定ネジ４４が設けられる位置を中央位置として左右対称に配置されて鼻パッド固定板４１の左右両端部に位置する。
【００５８】
このような鼻パッド固定板４１に対する脚部３２の固定位置は、上述したように鼻パッド固定板４１においてフレーム本体１０の後面１０ａから浮き上がるように変位可能な部分に含まれる。つまり、脚部３２の固定位置は、鼻パッド固定板４１がフレーム本体１０に対して変位した場合にその影響を受けて変位する部分に存在する。
【００５９】
鼻パッド固定板４１において、上下方向について考えた場合、鼻パッド固定板４１の略上半部は、固定ネジ４４によりフレーム本体１０に固定された部分となる。また、鼻パッド固定板４１の略下半部は、弾性変形により、フレーム本体１０の後面１０ａから浮き上がるように湾曲することで後側に変位し、湾曲した状態から平面の状態に戻ることで前側に変位する部分となる。そして、この鼻パッド固定板４１において弾性変形により変位する略下半部に、鼻当て部３０の脚部３２が固定される。
【００６０】
このように、固定ネジ４４によってフレーム本体１０に固定されるとともに、脚部３２が固定される鼻パッド固定板４１は、フレーム本体１０に対して固定される部分と、弾性変形によりフレーム本体１０に対して相対的に変位可能な部分とを有し、この変位可能な部分に、脚部３２が固定される。すなわち、鼻パッド固定板４１は、フレーム本体１０への固定部分である固定基部４１Ｘと、脚部３２が固定される部分を含む部分である傾動部４１Ｙとを有する。この傾動部４１Ｙが、鼻パッド固定板４１のうち、弾性変形によりフレーム本体１０に対して相対的に変位可能な部分となる。
【００６１】
そして、本実施形態では、鼻パッド固定板４１が有する傾動部４１Ｙが、鼻当て固定部として機能する。鼻当て固定部は、弾性を有する板状の部分としてフレーム本体１０に設けられ、脚部３２が固定されるとともに、弾性変形することでフレーム本体１０に対して前後方向に傾動する部分である。つまり、本実施形態においては、フレーム本体１０に固定される鼻パッド固定板４１により、鼻当て固定部が構成され、鼻パッド固定板４１の一部である傾動部４１Ｙが、鼻当て固定部に相当する。
【００６２】
金属プレート４２について説明する。金属プレート４２は、フレーム本体１０に内蔵されることで、フレーム本体１０の一部を構成する。金属プレート４２は、例えば、鼻パッド固定板４１よりも一回り大きい矩形板状の部材である。金属プレート４２の板厚は、フレーム本体１０の板厚よりも薄く、例えば鼻パッド固定板４１の板厚と同程度である。
【００６３】
金属プレート４２は、板状の部分であるフレーム本体１０に対して、互いの板面が略平行となるように設けられる。また、金属プレート４２は、フレーム本体１０内において、正面視（背面視）で大部分が鼻パッド固定板４１と重なるように配置される。また、金属プレート４２は、フレーム本体１０に対して、板厚方向（図６において左右方向）の略中央部に位置するように設けられる。
【００６４】
金属プレート４２は、例えば、樹脂製のフレーム本体１０に対して、インサートモールド成形によってフレーム本体１０に内蔵される。ただし、フレーム本体１０内に金属プレート４２を設けるための方法は、特に限定されず、例えば、フレーム本体１０内に形成された空間に金属プレート４２を挿入して嵌め込むような嵌め込み式等であってもよい。
【００６５】
金属プレート４２は、例えば、チタン、アルミニウム、ステンレス鋼等の金属材料により構成される。ただし、金属プレート４２を構成する材料は、所望の強度が得られる金属材料であればよい。
【００６６】
金属プレート４２は、嵌合凹部１０ｂに嵌め込まれた状態の鼻パッド固定板４１と重なり、鼻パッド固定板４１に接触した状態となる（図６参照）。つまり、鼻パッド固定板４１が嵌るフレーム本体１０の嵌合凹部１０ｂの底面は、金属プレート４２の後面４２ａにより形成される。言い換えると、フレーム本体１０において嵌合凹部１０ｂに鼻パッド固定板４１が嵌ってない状態では、フレーム本体１０の後面１０ａ側から、金属プレート４２の後面４２ａの一部が露出した状態となる。
【００６７】
そして、鼻パッド固定板４１は、嵌合凹部１０ｂに嵌ることで、金属プレート４２の後面４２ａに対して全面的に接触し、金属プレート４２に重なった状態となる。つまり、本実施形態では、金属プレート４２は、鼻パッド固定板４１が嵌る嵌合凹部１０ｂを正面視で全て含むような大きさを有する。
【００６８】
金属プレート４２は、フレーム本体１０において、鼻パッド固定板４１を固定するための固定ネジ４４がねじ込まれる部分を構成する。このため、金属プレート４２においては、嵌合凹部１０ｂに嵌る鼻パッド固定板４１の孔部４１ｂに対応する位置に、固定用ネジ孔４２ｂが形成されている。すなわち、固定ネジ４４は、嵌合凹部１０ｂに嵌った状態の鼻パッド固定板４１の孔部４１ｂを貫通して、フレーム本体１０の一部を構成する金属プレート４２の固定用ネジ孔４２ｂにねじ込まれる。これにより、鼻パッド固定板４１がフレーム本体１０に固定される。したがって、金属プレート４２は、鼻パッド固定板４１に対して、少なくとも孔部４１ｂに対応する位置で重なるように設けられる。
【００６９】
なお、本実施形態では、金属プレート４２は、鼻パッド固定板４１と接触するように設けられているが、鼻パッド固定板４１との間に、フレーム本体１０の一部を介在させてもよい。つまり、金属プレート４２の略全面がフレーム本体１０を構成する樹脂部分により覆われ、金属プレート４２と嵌合凹部１０ｂに嵌った状態の鼻パッド固定板４１との間に、フレーム本体１０を構成する樹脂部分が存在してもよい。この場合、固定ネジ４４は、鼻パッド固定板４１を貫通するとともに鼻パッド固定板４１と金属プレート４２との間に存在するフレーム本体１０の樹脂部分を貫通し、金属プレート４２にねじ込まれることになる。
【００７０】
調整ネジ４３について説明する。調整ネジ４３は、回転操作されることで鼻パッド３１の位置を調整する位置調整部として機能する。調整ネジ４３は、フレーム本体１０にねじ込まれるネジ部４３ａと、フレーム本体１０に対して前面側に位置するダイヤル４５とを有する。
【００７１】
ネジ部４３ａは、フレーム本体１０の前側から、フレーム本体１０のうち、金属プレート４２よりも前側の部分を貫通して、金属プレート４２にねじ込まれる。このため、フレーム本体１０における金属プレート４２の前側の部分には、調整ネジ４３のネジ部４３ａが貫通する孔部１０ｃが設けられている。また、金属プレート４２には、フレーム本体１０の孔部１０ｃに連続するように、調整用ネジ孔４２ｃが形成されている。つまり、ネジ部４３ａは、フレーム本体１０の前側に開口する孔部１０ｃに差し込まれ、金属プレート４２の調整用ネジ孔４２ｃにねじ込まれる。
【００７２】
ネジ部４３ａは、調整用ネジ孔４２ｃにねじ込まれた状態において、調整用ネジ孔４２ｃにねじ込まれる方向の回転（正回転）、およびその反対方向の回転（逆回転）により、金属プレート４２にねじ込まれる方向に沿う方向（フレーム本体１０の板厚方向、図６において左右方向）について変位する。
【００７３】
ネジ部４３ａがねじ込まれる位置は、フレーム本体１０において左右方向の中央位置である。調整用ネジ孔４２ｃにねじ込まれるネジ部４３ａの先端は、金属プレート４２を貫通して鼻パッド固定板４１に前側から当接する。ネジ部４３ａの鼻パッド固定板４１に対する当接位置は、鼻パッド固定板４１の傾動部４１Ｙに含まれる。
【００７４】
つまり、ネジ部４３ａのネジ軸方向に対して垂直な面におけるネジ部４３ａの配置位置は、図７に示すような背面視で、鼻パッド固定板４１において脚部３２が固定される傾動部４１Ｙと重なる位置に存在する。このため、金属プレート４２において、傾動部４１Ｙに位置しネジ部４３ａがねじ込まれる調整用ネジ孔４２ｃは、例えば、固定基部４１Ｘに位置し固定ネジ４４がねじ込まれる固定用ネジ孔４２ｂの直下に位置する。
【００７５】
ダイヤル４５は、フレーム本体１０の前側（図６において右側）に設けられ、フレーム本体１０に対して調整ネジ４３を相対的に回転するための操作を受ける操作部として機能する。ダイヤル４５は、円板状の外形を有する部分であり、ネジ部４３ａに対して一体的に設けられる。
【００７６】
ダイヤル４５は、その円板状の外形における中心軸方向を、ネジ部４３ａのネジ軸方向に一致させる。つまり、調整ネジ４３において、ネジ部４３ａは、円板状のダイヤル４５の一方の板面側の中央位置からダイヤル４５の板厚方向に突出するように設けられる。
【００７７】
ダイヤル４５は、使用者等、鼻パッド３１の位置の調整を行おうとする者により回転操作される部分である。ダイヤル４５が回転操作を受けることで、ネジ部４３ａの調整用ネジ孔４２ｃに対する螺合位置が変化する。つまり、ダイヤル４５の回転操作により、ネジ部４３ａを含む調整ネジ４３が全体として前後方向に変位する。
【００７８】
このように、調整ネジ４３は、フレーム本体１０に対して相対的に回転することで前後方向に変位するように設けられる。すなわち、調整ネジ４３は、フレーム本体１０に対して前後方向にねじ込まれ、フレーム本体１０に対して相対的に回転することによりフレーム本体１０に対して前後方向に変位する。
【００７９】
そして、調整ネジ４３は、フレーム本体１０に対して前後方向に変位することで、鼻パッド固定板４１の傾動部４１Ｙのフレーム本体１０に対する前後方向の傾動量を変化させる。これにより、鼻パッド３１の位置の調整が行われる。ここで、傾動部４１Ｙについての「フレーム本体１０に対する前後方向の傾動量」とは、鼻パッド固定板４１において生じる弾性による傾動変形についての変形量であり、フレーム本体１０に固定された固定基部４１Ｘの部分に対して傾動部４１Ｙの部分がフレーム本体１０の後面１０ａから浮き上がるように傾く弾性変形における、傾動部４１Ｙの傾き量に相当する。
【００８０】
以上のような構成を備える本実施形態の鼻パッド調整機構による鼻パッド３１の位置の調整について説明する。図６において実線で示す状態を、鼻パッド調整機構の通常状態とする。この通常状態においては、鼻パッド固定板４１は、弾性変形しておらず、平らな状態にある。つまり、この通常状態においては、鼻パッド固定板４１は、嵌合凹部１０ｂの底面を形成する金属プレート４２の後面４２ａに全面的に接触した状態となる。また、この通常状態では、調整ネジ４３のネジ部４３ａの先端は、鼻パッド固定板４１に接触しているとする。
【００８１】
鼻パッド調整機構の通常状態から、調整ネジ４３がダイヤル４５により正回転の方向に回転操作されることで、ネジ部４３ａがねじ込まれ、調整ネジ４３が後側（図６において左側）に変位する。これにより、鼻パッド固定板４１の傾動部４１Ｙがネジ部４３ａによって後側に押され、鼻パッド固定板４１が傾動部４１Ｙの部分を嵌合凹部１０ｂから浮き上がらせるように弾性変形する。つまり、鼻パッド固定板４１において、傾動部４１Ｙの部分が、固定基部４１Ｘ側に対して後側に傾くように傾動し、フレーム本体１０に対して相対的に変位する。この傾動部４１Ｙの後側への変位量（傾動量）は、調整ネジ４３の後側への変位量（ねじ込み量）、つまり正回転の方向の回転量の増加にともなって増加する。
【００８２】
こうした鼻パッド固定板４１における傾動部４１Ｙの後側への傾動変位にともない、図６において２点鎖線で示すように、傾動部４１Ｙに固定された鼻当て部３０が、傾動部４１Ｙの部分と一体的に後側に変位する。つまりは、左右一対の鼻パッド３１が前後方向の角度変化をともなって後側に変位する。
【００８３】
一方、例えば図６において２点鎖線で示すように、鼻パッド調整機構の通常状態に対して鼻パッド３１が後側に変位した状態から、調整ネジ４３がダイヤル４５により逆回転の方向に回転操作されることで、ネジ部４３ａが抜ける方向に回転し、調整ネジ４３が前側（図６において右側）に変位する。これにより、鼻パッド固定板４１の傾動部４１Ｙが後側に押された状態から弾性により前側に戻り、鼻パッド固定板４１が傾動部４１Ｙの部分を平らな状態に戻すように弾性変形する。つまり、鼻パッド固定板４１において、傾動部４１Ｙの部分が、固定基部４１Ｘ側に対して後側に傾いた状態から前側に戻るように、フレーム本体１０に対して相対的に変位する。この傾動部４１Ｙの前側への変位量（傾動量）は、調整ネジ４３の前側への変位量（ねじ込み量）、つまり逆回転の方向の回転量の増加にともなって増加する。
【００８４】
こうした鼻パッド固定板４１における傾動部４１Ｙの前側への傾動変位にともない、傾動部４１Ｙに固定された鼻当て部３０が、傾動部４１Ｙの部分と一体的に前側に変位する。つまりは、左右一対の鼻パッド３１が前後方向の角度変化をともなって前側に変位する。
【００８５】
なお、鼻パッド調整機構の通常状態においては、調整ネジ４３のダイヤル４５とフレーム本体１０との間に、調整ネジ４３の後側への移動を許容するための間隔Ｂ１（図６）が存在する。
【００８６】
以上のように、本実施形態の鼻パッド調整機構においては、ダイヤル４５の操作による調整ネジ４３の回転により、鼻当て部３０が固定された鼻パッド固定板４１の傾動部４１Ｙが、通常状態における位置から、調整ネジ４３の正回転による後側への移動が規制される所定の位置までの範囲で、傾動変位する。つまり、調整ネジ４３を正回転の方向に回転させることで、鼻パッド３１は後側に変位し、調整ネジ４３を逆回転の方向に回転させることで、鼻パッド３１は前側に変位する。
【００８７】
ここで、鼻パッド３１の後側への変位は、鼻パッド固定板４１の下半部である傾動部４１Ｙの後側への傾動にともなうものであることから、正確には、後斜め上側への変位である。同様に、鼻パッド３１の前側への変位は、正確には、前斜め下側への変位である。そして、鼻パッド３１の変位量、つまり鼻パッド３１の前後方向の角度および位置が、調整ネジ４３の回転量（ねじ込み量）により調整される。
【００８８】
以上のような構成を備える本実施形態のフレーム４によれば、簡単な構造により、専門の人によらずに使用者によって簡単に鼻パッド３１の位置を調整することができ、最適な状態で本体装置を使用することができる。
【００８９】
ＨＭＤ１のフレーム４においては、表示ユニット３やカメラユニット７等の本体装置が取り付けられることから、その分の荷重がかかるため、鼻パッド３１が使用者の鼻にフィットしない場合の不快感やフレーム４のずれが生じやすい。このため、ＨＭＤ１のフレーム４においては、通常の眼鏡のフレームと比べて、鼻パッド３１の位置の調整の必要性が高い。また、ＨＭＤ１は、例えば業務用等として使用されることから、複数人で共用される機会が多い。この点、鼻や顔の形やサイズは各個人によって違うため、ＨＭＤ１を共用する各使用者に対してフレーム４の鼻パッド３１の位置の調整が行われることが望ましく、この場合、高い頻度での鼻パッド３１の位置の調整が要求される。
【００９０】
そこで、本実施形態のフレーム４によれば、調整ネジ４３の回転操作という簡単な操作によって鼻パッド３１の位置を調整できることから、工具を要したり脚部３２を曲げたりする必要がなく、眼鏡店等の専門の人によらずに、使用者によって容易に調整できることができる。これにより、表示ユニット３やカメラユニット７等の本体装置を最適な状態で使用することができる。
【００９１】
また、本実施形態のフレーム４において、調整ネジ４３は、回転操作を受ける操作部として、フレーム本体１０の前側に配置されたダイヤル４５を有する。このため、フレーム４を装着した状態の使用者であっても、調整ネジ４３を容易に操作することができるので、ＨＭＤ１の使用中でも容易に鼻パッド３１の位置を調整することができる。したがって、例えば、使用者により、表示ユニット３により表示される映像を見ながら、鼻パッド３１の位置を微調整することで、映像の位置を微調整するといった操作が可能となり、最適な状態で映像を見ることができる。
【００９２】
特に、調整ネジ４３の操作性の観点からは、操作部としてのダイヤル４５については、大きい径を有することが好ましい。また、ダイヤル４５の径が大きい方が、鼻パッド３１の位置についての微調整がしやすくなり、高い調整精度が得られる。そこで、本実施形態のフレーム４は、調整ネジ４３のダイヤル４５が使用者の視界の妨げにならない程度に極力大きい径を有するように構成されている。具体的には次のとおりである。
【００９３】
本実施形態のフレーム４において、ダイヤル４５は、フレーム本体１０を構成する保持体１８の連結部１８ｂの前側に位置する（図２参照）。また、上述したように、連結部１８ｂの上側部分には、中央固定部２０を構成する固定片部２１が設けられている。この固定片部２１は、保持体１８の連結部１８ｂから前側に略水平方向に突出する水平片部２１ａと、水平片部２１ａの前端部から上側に略垂直方向に延設される垂直片部２１ｂとを有し、側面視で略Ｌ字状となる形状を有する。
【００９４】
このような本実施形態のフレーム構成において、調整ネジ４３のダイヤル４５は、固定片部２１の水平片部２１ａを貫通し、上端部を水平片部２１ａ上に突出させている。つまり、ダイヤル４５は、その上端部が水平片部２１ａから上方に突出し、正面視で垂直片部２１ｂと一部重なる程度に大きい外径を有する。このため、水平片部２１ａには、ダイヤル４５の回動を許容しながらダイヤル４５を上側に突出させる開口部２１ｃが設けられている（図３参照）。
【００９５】
このように、本実施形態のフレーム４においては、調整ネジ４３のダイヤル４５が使用者の視界の妨げにならない程度に大きい径を有することから、調整ネジ４３の回転操作について良好な操作性および調整精度が得られる。ここで、使用者の視界の妨げにならない程度とは、例えば、ダイヤル４５が正面視でカバーシート１６のシート部材１７に重ならない程度である。
【００９６】
そして、ダイヤル４５の上端部が水平片部２１ａから突出した構成においては、ダイヤル４５は、フレーム本体１０の前側からの操作のほか、水平片部２１ａから突出した部分により上側からの操作も受けることができる。このような点からも、調整ネジ４３の回転操作について良好な操作性が得られる。
【００９７】
また、調整ネジ４３の操作性の観点からは、円板状の外形を有するダイヤル４５において、その外周面に、例えばローレット状やギア状等の凹凸形状が形成されることが好ましい。なお、本実施形態では、調整ネジ４３の操作部としてのダイヤル４５は、円板状の外形を有する構成であるが、これに限定されない。調整ネジ４３の操作部の形状としては、例えば楕円形状や多角形形状や十字型形状等、調整ネジ４３の回転操作に適した形状が適宜採用される。
【００９８】
（変形例１）
本実施形態のフレーム４の変形例について、図８を用いて説明する。この変形例では、図８に示すように、鼻パッド調整機構を構成する鼻パッド固定板４１が、固定基部４１Ｘおよび傾動部４１Ｙに加え、傾動起点部４１Ｚを有する。傾動起点部４１Ｚは、鼻パッド固定板４１において固定基部４１Ｘと傾動部４１Ｙとの間に設けられ、他の部分に対して相対的に板厚が薄い部分であり、傾動部４１Ｙの固定基部４１Ｘに対する傾動の起点となる部分である。
【００９９】
図８に示すように、本実施形態では、鼻パッド固定板４１において、傾動起点部４１Ｚとして、溝部４１ｃが設けられている。溝部４１ｃは、鼻パッド固定板４１の表面４１ａにおいて、左右方向に全体にわたって直線状に形成される。この変形例では、鼻パッド固定板４１において、溝部４１ｃよりも上側の部分が固定基部４１Ｘとなり、溝部４１ｃよりも下側の部分が傾動部４１Ｙとなる。溝部４１ｃは、例えば、鼻パッド固定板４１に対する切削や、プレス加工による潰し等によって形成される。
【０１００】
このように鼻パッド固定板４１に傾動起点部４１Ｚを有する構成においては、傾動起点部４１Ｚの部分が、傾動部４１Ｙが固定基部４１Ｘに対して傾動する際の傾動の起点となる。詳細には、鼻パッド固定板４１の弾性変形により傾動部４１Ｙが固定基部４１Ｘに対して後側に傾動する際には、表面４１ａ側に開口する溝部４１ｃが上下方向に閉じ、鼻パッド固定板４１が溝部４１ｃの部分から折れ曲がる態様となる。
【０１０１】
この変形例のように、鼻パッド固定板４１において傾動起点部４１Ｚとしての溝部４１ｃを有する構成によれば、鼻パッド固定板４１において傾動起点部４１Ｚの部分の剛性を低下させることができ、傾動部４１Ｙが固定基部４１Ｘに対して傾動しやすくなる。これにより、調整ネジ４３のネジ部４３ａからの鼻パッド固定板４１に対する押圧作用によって傾動部４１Ｙを固定基部４１Ｘに対して傾動させる際の抵抗を軽減することができ、調整ネジ４３の回転操作についての操作性を向上することができる。したがって、鼻パッド固定板４１において傾動起点部４１Ｚとして設けられる形状部分については、本実施形態のような溝部４１ｃに限定されず、固定基部４１Ｘおよび傾動部４１Ｙ等に対して相対的に肉薄な部分等、鼻パッド固定板４１における他の部分に対して剛性が低下するような形状部分であればよい。
【０１０２】
（変形例２）
本実施形態のフレーム４の他の変形例について、図９を用いて説明する。この変形例では、左右一対の脚部３２ごとに、傾動部４１Ｙの前後方向の傾動量が独立して変化するように構成されている。具体的には、この変形例では、傾動部４１Ｙが、左右一対の脚部３２ごとに設けられている。つまり、鼻パッド調整機構が左右の鼻パッド３１に対して個別に設けられている。
【０１０３】
上述したように、本実施形態では、鼻当て固定部として機能する傾動部４１Ｙは、鼻パッド固定板４１の一部により構成される。そこで、この変形例では、図９に示すように、傾動部４１Ｙを構成する鼻パッド固定板４１が、左右に二分割されている。すなわち、この変形例では、鼻パッド固定板４１として、左板４１Ｌと右板４１Ｒとが設けられ、各脚部３２に対して個別に鼻パッド固定板４１が設けられる。
【０１０４】
左板４１Ｌおよび右板４１Ｒは、左右に並んで嵌合凹部１０ｂに嵌め込まれた状態で固定される。左板４１Ｌおよび右板４１Ｒは、それぞれ、固定ネジ４４によりフレーム本体１０に固定され、固定基部４１Ｘと傾動部４１Ｙとを有する。また、左板４１Ｌに左側の脚部３２が固定され、右板４１Ｒに右側の脚部３２が固定される。左板４１Ｌおよび右板４１Ｒそれぞれに対して、上述した調整ネジ４３と同様に位置調整部として機能する調整ネジ４３Ｌ、４３Ｒが設けられる。
【０１０５】
この変形例の構成によれば、左右の鼻パッド３１の前後方向の角度および位置を独立して個別に調整することが可能となる。この変形例の構成は、表示ユニット３が支持される側に荷重が偏る片眼用の構成のＨＭＤにおいて、フレーム４の左右のバランスをとることが可能となる。なお、この変形例とは異なり、鼻パッド固定板４１は一体のままで、調整ネジ４３を左右の両側に設ける構成であってもよい。
【０１０６】
（鼻当て部の構成）
本実施形態のフレーム４の鼻当て部３０が有する構造について説明する。鼻当て部３０においては、鼻パッド３１は、脚部３２に対して、フレーム本体１０が使用者の頭部に装着されることで接触する接触面の向きに対応して脚部３２に対する向きが変わるように設けられていることが好ましい。
【０１０７】
本実施形態のフレーム４においては、フレーム本体１０が使用者の頭部に装着されることで、鼻パッド３１は、使用者の鼻筋の表面に接触する。そこで、鼻パッド３１の脚部３２に対する支持構造としては、鼻パッド３１が接触する鼻筋の表面の向きに対応して、鼻パッド３１の向きが変わるような構造が好ましい。
【０１０８】
このような鼻パッド３１の脚部３２に対する支持構造の一例を、図１０に示す。図１０に示すように、この構造例では、鼻パッド３１は、脚部３２に対して嵌合した状態で支持される。この構造例では、脚部３２は、鼻パッド３１を支持する側の先端部に、嵌合頭部３２ａを有する。嵌合頭部３２ａは、脚部３２の本体部に対する拡径部分であり、楕円体状ないしは球状の形状を有する。
【０１０９】
一方、鼻パッド３１は、略楕円板状の本体部分において、使用者の鼻筋に接触する側と反対側である裏面側に、脚部３２に支持される部分である支持基部３１ａを有する。支持基部３１ａは、樹脂製の鼻パッド３１の一部であり、鼻パッド３１の本体部分の裏面側において突出する突起部分である。支持基部３１ａ内には、脚部３２の嵌合頭部３２ａが嵌る嵌合凹部３１ｂが形成されている。
【０１１０】
嵌合凹部３１ｂは、嵌合頭部３２ａの大きさよりもわずかに大きく形成される。このため、嵌合凹部３１ｂに嵌合頭部３２ａが嵌った状態においては、嵌合凹部３１ｂと嵌合頭部３２ａとの間に隙間が存在する。また、嵌合凹部３１ｂは、その開口部の径が嵌合頭部３２ａの最大径よりも小さく形成される。支持基部３１ａは、嵌合凹部３１ｂにより、嵌合頭部３２ａの最大径部分を含む大半の部分を抱え込むように嵌合頭部３２ａを嵌合させる。
【０１１１】
このような構成において、嵌合頭部３２ａは、嵌合凹部３１ｂの開口部に押し付けられることで、嵌合凹部３１ｂに嵌め込まれる。詳細には、嵌合頭部３２ａが嵌合凹部３１ｂの開口部に押し付けられることで、支持基部３１ａの弾性変形により嵌合凹部３１ｂの開口部が押し広げられる。そしてさらに嵌合頭部３２ａが押し込まれると、嵌合頭部３２ａの最大径部分が嵌合凹部３１ｂの開口部を乗り越えることで、広がった嵌合凹部３１ｂの開口部が元に戻り、嵌合頭部３２ａが嵌合凹部３１ｂに嵌り込み、支持基部３１ａと嵌合頭部３２ａとが嵌合した状態となる。
【０１１２】
このように、この構造例では、鼻パッド３１は、嵌合凹部３１ｂが形成された支持基部３１ａの部分を脚部３２の嵌合頭部３２ａに対してワンタッチで嵌合させ、脚部３２に支持された状態となる。そして、嵌合頭部３２ａおよび嵌合凹部３１ｂについては、嵌合頭部３２ａが嵌合凹部３１ｂに嵌合することで脚部３２に支持された状態の鼻パッド３１が容易に抜け落ちないように、互いの嵌合形状が規定される。
【０１１３】
鼻パッド３１が脚部３２に支持された状態においては、上記のとおり嵌合凹部３１ｂと嵌合頭部３２ａとの間に隙間が存在する。つまり、鼻パッド３１は、脚部３２に対して遊びを持った状態で嵌合される。このため、図１０において２点鎖線で示すように、脚部３２に支持された状態の鼻パッド３１は、脚部３２に対する角度を所定の範囲で自由に変化させることができる。したがって、嵌合凹部３１ｂと嵌合頭部３２ａとの嵌合部分においては、鼻パッド３１の脚部３２に対して向きを変化させる動きについて所望の可動範囲が得られるように、嵌合凹部３１ｂと嵌合頭部３２ａとの間の隙間の大きさが設定される。
【０１１４】
以上のような鼻パッド３１の脚部３２に対する支持構造によれば、鼻パッド３１は、その接触する鼻筋の表面の向きに対応して向きを所定の範囲で自由に変えることができる。つまり、フレーム本体１０が使用者の頭部に装着された状態において、鼻パッド３１は、フレーム本体１０の荷重を受け、脚部３２に対する向きを鼻筋の表面の向きに沿わせた状態に納まることができる。これにより、鼻パッド調整機構による鼻パッド３１の位置の調整に加え、鼻パッド３１の向きが接触面の向きに応じて自動的に調整されることから、鼻パッド３１の位置について、各個人にフィットするより適した位置を実現することができる。
【０１１５】
なお、図１０に示す構造例は、鼻パッド３１の脚部３２に対する支持構造の一例であり、鼻パッド３１が接触する鼻筋の表面の向きに対応して向きを変えることができる構造としては、他の構造を適宜採用することができる。他の構造例としては、鼻パッド３１の脚部３２に対する支持部分において、鼻パッド３１をネジ等の軸部材によって遊びを持った状態で脚部３２に軸支する構造等が挙げられる。
【０１１６】
（他の構成例）
以下では、本実施形態の鼻パッド調整機構における他の構成例等について説明する。本実施形態の鼻パッド調整機構においては、鼻当て固定部としての傾動部４１Ｙを有する鼻パッド固定板４１と脚部３２とは、溶接により互いに固定されている。この点、鼻パッド固定板４１と脚部３２とは、一体の部品として構成されてもよい。
【０１１７】
鼻パッド固定板４１と脚部３２とが一体の部品として構成される場合、脚部３２は、鼻パッド固定板４１と同様の弾性を有する部分となる。鼻パッド固定板４１および脚部３２を構成する一体の部品は、例えば、焼入れ等の、鼻パッド固定板４１に弾性を持たせるための処理や、鼻パッド固定板４１および脚部３２の各部の形状を形成するためのプレス成形等の工程を経て製造される。このように鼻パッド固定板４１と脚部３２とが一体の部品として構成される場合、鼻パッド固定板４１と脚部３２とを溶接する工程が省略できる分、製造工程の簡略化が図れる。
【０１１８】
一方、本実施形態のように鼻パッド固定板４１と脚部３２とを溶接により固定する場合、鼻パッド固定板４１のみを弾性を有するように製造した後、鼻パッド固定板４１と脚部３２とを溶接することができる。つまり、鼻パッド固定板４１に弾性を持たせるための処理を、鼻パッド固定板４１のみについて行うことができる。これにより、弾性を持たせるための処理対象を、略矩形板状という比較的単純な形状の鼻パッド固定板４１のみとすることができるので、その分、鼻パッド固定板４１に弾性を持たせるための処理工程が容易になり、部品の加工性が向上する。
【０１１９】
また、本実施形態の鼻パッド調整機構は、フレーム本体１０に内蔵される金属プレート４２を備えるが、この金属プレート４２は、フレーム本体１０の材料等によっては省略することができる。
【０１２０】
金属プレート４２は、フレーム本体１０において、鼻パッド固定板４１を固定するための固定ネジ４４がねじ込まれる固定用ネジ孔４２ｂ、および調整ネジ４３のネジ部４３ａがねじ込まれる調整用ネジ孔４２ｃを形成する部分である。これらのネジ孔を形成する部分については、雌ネジ部分としての強度を確保する観点から、金属部分であることが好ましい。特に、調整用ネジ孔４２ｃについては、鼻パッド３１の位置の調整の都度、ネジ部４３ａの回転作用を受けることから、強度の確保が重要となる。このため、樹脂製のフレーム本体１０においては、固定用ネジ孔４２ｂ等のネジ孔を形成する部分として、金属プレート４２が埋め込まれる。
【０１２１】
したがって、例えば、フレーム本体１０が全体としてチタンやステンレス鋼等の金属材料で構成される場合は、フレーム本体１０において雌ネジ部分としての強度が確保しやすくなり、金属プレート４２を内蔵する必要性が低くなることから、金属プレート４２を省略することができる。この場合、固定用ネジ孔４２ｂおよび調整用ネジ孔４２ｃは、フレーム本体１０を全体的に構成する材料と同じ材料の部分に形成される。
【０１２２】
このように、金属プレート４２を省略することにより、フレーム本体１０に金属プレート４２を内蔵するためのインサートモールド成形等の工程を省略することができ、また、部品点数の削減を図ることができる。
【０１２３】
また、本実施形態の鼻パッド調整機構においては、脚部３２が固定されて前後方向に傾動する鼻当て固定部として機能する部分が、フレーム本体１０とは別体の鼻パッド固定板４１の一部である傾動部４１Ｙとして設けられている。この点、鼻当て固定部として機能する部分は、フレーム本体１０の一部であってもよい。
【０１２４】
鼻当て固定部として機能する部分がフレーム本体１０の一部として設けられる場合は、鼻当て固定部は、フレーム本体１０の後面１０ａ側において、傾動部４１Ｙと同様に、弾性を有する板状の部分であって、脚部３２が固定されるとともに、弾性変形することで前後方向に傾動する切片部分として設けられる。
【０１２５】
このような構成によれば、鼻パッド固定板４１をフレーム本体１０に固定するための工程を省略することができ、また、部品点数の削減を図ることができる。
【０１２６】
また、本実施形態の鼻パッド調整機構においては、鼻パッド固定板４１の上半部が、フレーム本体１０に固定される固定基部４１Ｘであり、鼻パッド固定板４１の下半部が、脚部３２が固定される傾動部４１Ｙである。この点、鼻パッド固定板４１における固定基部４１Ｘと傾動部４１Ｙとは、上下反対に構成されてもよい。
【０１２７】
このような構成においては、鼻パッド固定板４１の下側の部分がフレーム本体１０に固定され、鼻パッド固定板４１の上側の部分が、嵌合凹部１０ｂから浮き上がるように後側に傾動することになる。そしてこの鼻パッド固定板４１の上側の部分の動きにともない、鼻当て部３０が一体的に移動する。
【０１２８】
また、本実施形態の鼻パッド調整機構においては、フレーム本体１０に対する鼻パッド固定板４１の固定構造として、上記のとおり鼻パッド固定板４１の周囲において鼻パッド固定板４１と嵌合凹部１０ｂとの間に隙間を設けた構成を採用することで、鼻パッド固定板４１の固定位置を調整可能としてもよい。
【０１２９】
具体的には、例えば、鼻パッド固定板４１を、フレーム本体１０に対して左右に傾けて固定できる構成とする。このように鼻パッド固定板４１の固定位置の調整を行う構成においては、嵌合凹部１０ｂが、固定ネジ４４が貫通する孔部４１ｂを中心とした鼻パッド固定板４１の回転移動を許容する形状とされる。
【０１３０】
このような鼻パッド固定板４１の固定位置の調整によっても、鼻パッド固定板４１に脚部３２を介して固定される鼻パッド３１の位置調整（主に傾き調整）を行うことが可能となる。このような構成を採用することによっても、上述したような片眼用のＨＭＤ装着時のフレーム４における左右のバランスをとることが可能となる。
【０１３１】
［鼻パッド調整機構の別実施形態］
鼻パッド調整機構の別実施形態について、図１１および図１２を用いて説明する。なお、上述した実施形態と共通する部分については、同一の符号を用いる等して適宜説明を省略する。
【０１３２】
本実施形態の鼻パッド調整機構では、鼻パッド固定板４１の傾動部４１Ｙが前後方向に傾動変位することに加え、鼻パッド固定板４１がフレーム本体１０に対して上下方向に変位する。つまり、本実施形態の鼻パッド調整機構では、鼻パッド３１の位置の調整として、傾動部４１Ｙの傾動による前後方向の位置の調整と、鼻パッド固定板４１の上下移動による上下方向の位置の調整とが行われる。
【０１３３】
図１１および図１２に示すように、鼻パッド固定板４１の上下移動は、可動金属プレート５２の上下移動にともなって行われる。つまり、可動金属プレート５２に鼻パッド固定板４１が固定され、この可動金属プレート５２の上下位置の調整により、鼻当て部３０が固定される鼻パッド固定板４１の上下位置が調整される。したがって、可動金属プレート５２は、上述した実施形態における金属プレート４２と同様に、フレーム本体１０に内蔵されるとともに、鼻パッド固定板４１が固定される部材となる。
【０１３４】
また、可動金属プレート５２は、上述した実施形態の金属プレート４２と同様に、後面５２ａにより嵌合凹部１０ｂの底面を形成し、固定ネジ４４がネジ込まれる固定用ネジ孔５２ｂ、および調整ネジ４３のネジ部４３ａがねじ込まれる調整用ネジ孔５２ｃを有する。そして、可動金属プレート５２は、フレーム本体１０に対して上下移動できるように設けられる点で、上述した実施形態の金属プレート４２と異なる。
【０１３５】
可動金属プレート５２は、フレーム本体１０に形成されたスライド穴１０ｄに差し込まれた状態で、フレーム本体１０に内蔵される。スライド穴１０ｄは、前後方向、および左右方向について、可動金属プレート５２と略同じ寸法を有する。これにより、スライド穴１０ｄは、可動金属プレート５２に対して前後および左右の各面で接触した状態で、可動金属プレート５２を上下方向にスライド移動させる。この可動金属プレート５２の上下方向の移動代を確保するため、スライド穴１０ｄは、その深さ方向の寸法が可動金属プレート５２の上下方向の寸法よりも大きく形成される。
【０１３６】
スライド穴１０ｄは、フレーム本体１０において上側に開口する。このように上側に開口するスライド穴１０ｄに対して、可動金属プレート５２がフレーム本体１０の上側から差し込まれる。また、スライド穴１０ｄは、下側に底面１０ｅを有する。つまり、スライド穴１０ｄは、有底の開口部である。
【０１３７】
可動金属プレート５２は、スライド穴１０ｄに差し込まれた状態で、フレーム本体１０に対して相対的に上下方向に変位するように設けられる。そして、可動金属プレート５２には、固定用ネジ孔５２ｂにねじ込まれる固定ネジ４４により、鼻パッド固定板４１が固定される。また、可動金属プレート５２は、フレーム本体１０の孔部１０ｃを貫通した調整ネジ４３のネジ部４３ａを、調整用ネジ孔５２ｃにねじ込ませて貫通させる。
【０１３８】
このように、本実施形態の鼻パッド調整機構においては、可動金属プレート５２が、フレーム本体１０に対して相対的に上下方向に変位するように設けられ、調整ネジ４３を貫通させるとともに、鼻パッド固定板４１と一体的に上下方向に変位する移動体に相当する。
【０１３９】
可動金属プレート５２は、下端側に、板バネ部５６を有する。板バネ部５６は、可動金属プレート５２の一部として設けられる。板バネ部５６は、矩形板状の可動金属プレート５２の下端面において、左右方向の一端側から他端側にかけて斜め下方向に向けて直線状に延設される板状の部分である。
【０１４０】
可動金属プレート５２は、板バネ部５６により、上方に付勢される。詳細には、可動金属プレート５２がスライド穴１０ｄに挿入された状態において、板バネ部５６は、スライド穴１０ｄの底面１０ｅに接触する。そして、可動金属プレート５２が底面１０ｅに近付き、板バネ部５６がその自然状態から可動金属プレート５２の下端面と底面１０ｅとの間で押さえられた状態となることで、板バネ部５６が弾性変形し、その変形に対する復元力としての弾性力により、可動金属プレート５２がフレーム本体１０に対して上方に付勢される。
【０１４１】
このように、板バネ部５６は、移動体としての可動金属プレート５２をフレーム本体１０に対して上方向に付勢する付勢部として機能する。このため、板バネ部５６は、可動金属プレート５２を上方向に付勢するための部分であればよく、その形状等は、本実施形態に限定されない。また、板バネ部５６は、可動金属プレート５２とは別体の部材として設けられてもよい。
【０１４２】
このように板バネ部５６により上方向に付勢される可動金属プレート５２の上側には、上下調整ネジ５３が設けられる。上下調整ネジ５３は、回転操作されることで鼻パッド３１の上下位置を調整する上下位置調整部として機能する。上下調整ネジ５３は、フレーム本体１０にねじ込まれるネジ部５３ａと、フレーム本体１０に対して上側に位置するつまみ５３ｂとを有する。
【０１４３】
上下調整ネジ５３は、フレーム本体１０の上側から、スライド穴１０ｄの開口端部において左右中央位置に設けられるネジ孔１０ｆにねじ込まれる。ネジ孔１０ｆは、スライド穴１０ｄの前後方向の間隔よりも大きい径のネジ孔として、スライド穴１０ｄを形成する前後の面に形成される前後一対のネジ面部により形成される。
【０１４４】
上下調整ネジ５３は、ネジ孔１０ｆにねじ込まれた状態で、ネジ部５３ａの先端を可動金属プレート５２の上端面に当接させる。つまり、上下調整ネジ５３は、ネジ孔１０ｆにねじ込まれた状態で可動金属プレート５２に当接することで、板バネ部５６によって上方に付勢される可動金属プレート５２の上方への移動を規制する。上下調整ネジ５３は、ネジ孔１０ｆにねじ込まれた状態で、ネジ孔１０ｆにねじ込まれる方向の回転（正回転）、およびその反対方向の回転（逆回転）により、フレーム本体１０にねじ込まれる方向に沿う方向（上下方向）について変位する。
【０１４５】
上下調整ネジ５３において、つまみ５３ｂは、フレーム本体１０の上側に設けられ、フレーム本体１０に対して上下調整ネジ５３を相対的に回転するための操作を受ける操作部として機能する。つまり、つまみ５３ｂは、使用者等、鼻パッド３１の位置の調整を行おうとする者により回転操作される部分である。つまみ５３ｂは、ネジ部５３ａに対する拡径部分であり、ネジ部５３ａに対して一体的に設けられる。つまみ５３ｂが回転操作を受けることで、上下調整ネジ５３のネジ孔１０ｆに対する螺合位置が変化する。
【０１４６】
このように、上下調整ネジ５３は、フレーム本体１０に対して相対的に回転することで上下方向に変位するように設けられる。すなわち、上下調整ネジ５３は、フレーム本体１０に対して上下方向にねじ込まれ、可動金属プレート５２に対して上方向の側から当接した状態でフレーム本体１０に対して相対的に回転することによりフレーム本体１０に対して上下方向に変位する。
【０１４７】
そして、上下調整ネジ５３は、フレーム本体１０に対して上下方向に変位することで、可動金属プレート５２のフレーム本体１０に対する上下方向の位置を変化させる。これにより、鼻パッド３１の上下位置の調整が行われる。
【０１４８】
本実施形態の鼻パッド調整機構においては、固定ネジ４４により互いに固定される可動金属プレート５２と鼻パッド固定板４１とが一体的に上下方向に移動する（図１２、矢印Ｃ１参照）。このため、フレーム本体１０に対して鼻パッド固定板４１が嵌め込まれる嵌合凹部１０ｂは、鼻パッド固定板４１の上下方向の移動代を確保するため、上下方向の寸法が鼻パッド固定板４１の上下方向の寸法よりも大きく形成される。つまり、鼻パッド固定板４１が嵌合凹部１０ｂに嵌った状態において、嵌合凹部１０ｂを形成する上下の壁面と鼻パッド固定板４１との間には隙間が存在する。なお、嵌合凹部１０ｂの左右の面は、鼻パッド固定板４１の左右の面に接触し、上下移動する鼻パッド固定板４１に対するスライド面となる。
【０１４９】
また、調整用ネジ孔５２ｃにネジ部４３ａをねじ込ませた調整ネジ４３も、可動金属プレート５２と一体的に上下方向に移動する。このため、フレーム本体１０において可動金属プレート５２の前側でネジ部４３ａを貫通させる孔部１０ｃは、ネジ部４３ａの上下方向の移動を許容するため、上下方向を長手方向とする長孔として形成される。
【０１５０】
以上のような構成を備える本実施形態の鼻パッド調整機構による鼻パッド３１の上下位置の調整について説明する。本実施形態の鼻パッド調整機構においては、可動金属プレート５２は、その下側に設けられる板バネ部５６により上方に付勢されるとともに、上側に当接する上下調整ネジ５３により、上方への移動が規制された状態となる。
【０１５１】
上下調整ネジ５３が正回転の方向に回転操作されることで、ネジ部５３ａがねじ込まれ、上下調整ネジ５３が下方に変位する。これにより、可動金属プレート５２が下向きに押され、板バネ部５６の付勢力に抗して下方に移動する。この可動金属プレート５２の下方への変位量は、上下調整ネジ５３の下方への変位量（ねじ込み量）、つまり正回転の方向の回転量の増加にともなって増加する。
【０１５２】
こうした可動金属プレート５２の下方への変位にともない、鼻パッド固定板４１も下方に変位する。これにより、図１１において２点鎖線で示すように、鼻パッド固定板４１に固定された鼻当て部３０が、鼻パッド固定板４１と一体的に下方に変位する。つまりは、左右一対の鼻パッド３１が下方に変位する。
【０１５３】
一方、上下調整ネジ５３が逆回転の方向に回転操作されることで、ネジ部５３ａが抜ける方向に回転し、上下調整ネジ５３が上方に変位する。これにより、可動金属プレート５２が上下調整ネジ５３からの当接を受けた状態のまま板バネ部５６の付勢力によって上方に移動する。この可動金属プレート５２の上方への変位量は、上下調整ネジ５３の上方への変位量（ねじ込み量）、つまり逆回転の方向の回転量の増加にともなって増加する。
【０１５４】
こうした可動金属プレート５２の上方への変位にともない、鼻パッド固定板４１も上方に変位する。これにより、鼻パッド固定板４１に固定された鼻当て部３０が、鼻パッド固定板４１と一体的に上方に変位する。つまりは、左右一対の鼻パッド３１が上方に変位する。
【０１５５】
以上のように、本実施形態の鼻パッド調整機構においては、上下調整ネジ５３の回転により、鼻当て部３０が固定された鼻パッド固定板４１が所定の範囲で上下方向に変位する。つまり、上下調整ネジ５３を正回転の方向に回転させることで、鼻パッド３１は下方に変位し、上下調整ネジ５３を逆回転の方向に回転させることで、鼻パッド３１は上方に変位する。そして、鼻パッド３１の上下方向の変位量、つまり鼻パッド３１の上下方向の位置が、上下調整ネジ５３の回転量（ねじ込み量）により調整される。
【０１５６】
以上のような本実施形態の鼻パッド調整機構を備えるフレーム４によれば、鼻パッド３１の位置について、前後方向の位置調整に加え、上下方向の位置調整も可能となる。これにより、鼻パッド３１の位置について、各個人にフィットする最適な位置を実現することができる。
【０１５７】
なお、本実施形態の鼻パッド調整機構においては、可動金属プレート５２が下方向に付勢される構成が採用されてもよい。この場合、例えば、可動金属プレート５２が差し込まれるスライド穴１０ｄは下方に開口するように設けられ、可動金属プレート５２の上側に板バネ部５６が設けられ、上下調整ネジ５３が可動金属プレート５２に対して下側から当接するように設けられる。つまりこの場合、可動金属プレート５２は、その上側に設けられる板バネ部５６により下方に付勢されるとともに、下側に当接する上下調整ネジ５３により、下方への移動が規制された状態となる。
【０１５８】
このように、本実施形態の鼻パッド調整機構において可動金属プレート５２を付勢する付勢部としての板バネ部５６は、可動金属プレート５２をフレーム本体１０に対して上下方向のいずれか一方向に付勢するように設けられる。そして、上下調整ネジ５３が、可動金属プレート５２に対して上下方向のうち板バネ部５６により付勢される方向の側から当接する。
【０１５９】
以上説明したように、上述した各実施形態に係るＨＭＤ１のフレーム４によれば、以下の効果が期待できる。
【０１６０】
（１）本実施形態のフレーム４は、使用者の頭部に装着されることで、表示ユニット３、カメラユニット７を使用者の頭部に対して支持する眼鏡型のフレーム本体１０と、使用者の鼻に接触する鼻パッド３１、および鼻パッド３１をフレーム本体１０に支持する脚部３２を有する鼻当て部３０と、弾性を有する板状の部分としてフレーム本体１０に設けられ、脚部３２が固定されるとともに、弾性変形することで前後方向に傾動する傾動部４１Ｙと、フレーム本体１０に対して前後方向にねじ込まれ、フレーム本体１０に対して相対的に回転することによりフレーム本体１０に対して前後方向に変位することで、傾動部４１Ｙのフレーム本体１０に対する前後方向の傾動量を変化させる調整ネジ４３と、を備える。これにより、簡単な構造により、使用者によって簡単に鼻パッド３１の位置を調整することができ、良好な状態で表示ユニット３やカメラユニット７等の本体装置を使用することができる。
【０１６１】
（２）本実施形態のフレーム４においては、調整ネジ４３は、フレーム本体１０の前側に設けられ、フレーム本体１０に対して相対的に回転するための操作を受けるダイヤル４５を有する。これにより、フレーム４を装着した状態の使用者であっても、調整ネジ４３を容易に操作することができるので、ＨＭＤ１の使用中でも容易に鼻パッド３１の位置を調整することができる。
【０１６２】
（３）本実施形態のフレーム４は、フレーム本体１０に対して相対的に上下方向に変位するように設けられ、調整ネジ４３を貫通させるとともに、傾動部４１Ｙと一体的に上下方向に変位する可動金属プレート５２と、可動金属プレート５２をフレーム本体１０に対して上下方向のいずれか一方向に付勢する板バネ部５６と、フレーム本体１０に対して上下方向にねじ込まれ、可動金属プレート５２に対して上下方向のうち前記一方向の側から当接した状態でフレーム本体１０に対して相対的に回転することによりフレーム本体１０に対して上下方向に変位することで、可動金属プレート５２のフレーム本体１０に対する上下方向の位置を変化させる上下調整ネジ５３と、をさらに備える。これにより、鼻パッド３１の位置について、各個人にフィットする最適な位置を実現することができる。
【０１６３】
（４）本実施形態のフレーム４においては、傾動部４１Ｙは、フレーム本体１０に固定される弾性を有する鼻パッド固定板４１により構成され、鼻パッド固定板４１は、フレーム本体１０への固定部分である固定基部４１Ｘと、脚部３２が固定される部分を含む部分であり鼻当て固定部として機能する傾動部４１Ｙと、固定基部４１Ｘと傾動部４１Ｙとの間に設けられ他の部分に対して相対的に板厚が薄い部分であり傾動部４１Ｙの固定基部４１Ｘに対する傾動の起点となる傾動起点部４１Ｚと、を有する。これにより、調整ネジ４３のネジ部４３ａからの鼻パッド固定板４１に対する押圧作用によって傾動部４１Ｙを固定基部４１Ｘに対して傾動させる際の抵抗を軽減することができ、調整ネジ４３の回転操作についての操作性を向上することができる。
【０１６４】
（５）本実施形態のフレーム４においては、左右一対の脚部３２ごとに、傾動部４１Ｙの傾動量が独立して変化するように構成されている。これにより、左右の鼻パッド３１の前後方向の角度および位置を個別に調整することが可能となる。
【０１６５】
（６）本実施形態のフレーム４においては、鼻パッド３１は、脚部３２に対して、フレーム本体１０が使用者の頭部に装着されることで接触する接触面の向きに対応して脚部３２に対する向きが変わるように設けられている。これにより、鼻パッド３１の向きが接触面の向きに応じて自動的に調整されることから、鼻パッド３１の位置について、各個人にフィットするより適した位置を実現することができる。
【０１６６】
（７）本実施形態のフレーム４においては、傾動部４１Ｙ（鼻パッド固定板４１）と脚部３２とは、溶接により互いに固定されている。これにより、傾動部４１Ｙ（鼻パッド固定板４１）に弾性を持たせるための処理工程が容易になり、部品の加工性が向上する。
【符号の説明】
【０１６７】
１      ＨＭＤ（頭部装着型装置）
３      表示ユニット（本体装置）
４      フレーム（頭部装着型装置用フレーム）
７      カメラユニット（本体装置）
１０    フレーム本体
３０    鼻当て部
３１    鼻パッド
３２    脚部（パッド支持部）
４１    鼻パッド固定板（板状の部材）
４１Ｌ  左板（板状の部材）
４１Ｒ  右板（板状の部材）
４１Ｘ  固定基部
４１Ｙ  傾動部（鼻当て固定部）
４１Ｚ  傾動起点部
４３    調整ネジ（位置調整部）
４５    ダイヤル（操作部）
５２    可動金属プレート（移動体）
５３    上下調整ネジ（上下位置調整部）
５６    板バネ部（付勢部）
【図１】
2013211811.tif 000003
【図２】
2013211811.tif 000004
【図３】
2013211811.tif 000005
【図４】
2013211811.tif 000006
【図５】
2013211811.tif 000007
【図６】
2013211811.tif 000008
【図７】
2013211811.tif 000009
【図８】
2013211811.tif 000010
【図９】
2013211811.tif 000011
【図１０】
2013211811.tif 000012
【図１１】
2013211811.tif 000013
【図１２】
2013211811.tif 000014